(57)【特許請求の範囲】
【請求項１】
一部分に抜止部を有する金属製の機能部に合成樹脂製の把手を取付けた手動利器において、前記把手の表面に前記把手を機能部から分離させるための切込み位置を示す目印を設けたことを特徴とする手動利器。
【請求項２】
前記抜止部は凹部よりなり、前記目印は凹部の位置を示す請求項１に記載の手動利器。
【発明の詳細な説明】
【０００１】
【発明の属する技術分野】
この発明は、金属製の機能部と合成樹脂製の把手とから構成された鋏、ナイフ、包丁、フォーク等の手動利器に関するものである。
【０００２】
【従来の技術】
この種の手動利器としては、インサート成形法を用いて合成樹脂製の把手を金属製の機能部に取付けたものが知られている。
【０００３】
【発明が解決しようとする課題】
ところが、この従来構成においては、機能部に凹部または凸部よりなる抜止部を設けることにより、把手が機能部から抜けないように作られていた為、機能部と把手との分離が容易でないという問題があった。このため、手動利器を廃棄したりする場合に機能部と把手とを分別して処理することが困難であった。
【０００４】
本発明は、上記のような従来技術に存在する問題点に着目してなされたものである。その目的とするところは、機能部と把手との分離を容易に行うことができる手動利器を提供することにある。
【０００５】
【課題を解決するための手段】
上記目的を達成するために、請求項１に記載の発明では、一部分に抜止部を有する金属製の機能部に合成樹脂製の把手を取付けた手動利器において、前記把手の表面に前記把手を機能部から分離させるための切込み位置を示す目印を設けたことを要旨としている。従って、前記目印の部分をカッターナイフ等で切断することにより、前記機能部の抜止部を露出させることができる。この状態で、前記把手を前記機能部から引抜くことにより、前記機能部と前記把手とを分離することができる。このような構成によれば、分別廃棄する場合に機能部と把手とを分離する作業が容易となる。
【０００６】
請求項２に記載の発明では、請求項１に記載の手動利器において、前記抜止部は凹部よりなり、前記目印は凹部の位置を示すことを要旨としている。従って、前記目印の部分を切断すると、前記凹部の端縁を露出させることができる。この状態で、前記把手を前記機能部から引抜くことにより、前記機能部と前記把手とを分離することができる。
【０００８】
【発明の実施の形態】
（第１実施形態）
以下、本発明を具体化した第１実施形態を図１乃至図５に基づいて説明する。
【０００９】
手動利器としての鋏１は、軸２５により相互に連結された一対の鋏片２６よりなる。各鋏片２６は、金属製の機能部１０と、その機能部１０の基端部に取付けられた合成樹脂製の把手１１とから構成されている。
【００１０】
機能部１０の基端部の内縁には、機能部１０から把手１１が容易に抜けないようにするための凹部１２が設けられている。機能部１０の中央から先端にかけては、刃部９が設けられている。把手１１は、その後端部に環形部２７を有している。
【００１１】
把手１１は、機能部１０の基端部に凹部１２を含むようにインサート成形することによって製造される。
図１に示すように、凹部１２の位置を示す目印８が、把手１１の表面に形成され、図４及び図５に示すように、この目印８は溝１３よりなる。この溝１３は、凹部１２の端縁と対応して位置している。
従って、目印８は把手１１の内側に位置し、目立たない位置に配置されている。次に前記のように構成した第１実施形態の鋏についてその作用効果を構成とともに説明する。
凹部１２に沿って把手１１をカッターナイフ等で切断する。そうすると、図３に示すように、凹部に内に入り込んでいる把手１１の一部が切除される。このため、把手１１を機能部１０から容易に引抜くことができる。さらに、この引抜きにともない、切断部２から空気が入るため把手１１の内部に負圧が発生することがなく、機能部１０と把手１１とを分離する作業がさらに容易となる。さらに、把手１１に熱を加える（樹脂の種類によって５０〜１００℃）ことにより、機能部１０の周囲の把手１１が軟化する。このため、把手１１の引抜きがいっそう容易になる。
以上詳述した第１実施形態によれば次のような効果が発揮される。
・  溝１３に沿ってカッターナイフ等で把手１１を切断することにより、凹部１２のところの樹脂が切除されるため、機能部１０と把手１１とを分離する作業が容易となる。
・  凹部に沿って把手１１をカッターナイフ等で切断するときに、溝１３に刃物をあてがうことができるので、正確に、素早く切断することができる。
・  前記目印８は、目立たない位置に表示したので、外観が損なわれにくいものとなる。
【００１２】
（他の実施形態）
なお、前記実施形態を次のように変更して構成することもできる。
・  図６に示すように、２色成形によって前記目印８を把手１１の色と異なる色１４で表示してもよい。
・  第１実施形態においては、手動利器としての鋏１の場合を説明したが、図７及び図８に示すように、凹部１７を有する機能部１５と溝１８を有する把手１６とからなる包丁３であってもよい。また、前記溝１８を把手１６の下側のような目立たない位置に設けることで、外観が損なわれにくものとなる。
・  前記凹部２，１７を２つ以上有する機能部１０，１５としてもよい。
・  第１実施形態において、図９及び図１０に示すように、抜止部としての凸部５を有する機能部２４と溝６を有する把手２３とからなる鋏７であってもよい。また、溝６を把手２３の先端面ような目立たない位置に表示することで、外観が損なわれにくものとなる。この図９及び図１０の場合は、２点鎖線で示すように、凸部５より先端側の樹脂が切除されることで、把手２３を容易に引抜くことができる。
（他の技術的思想）
次に上記実施形態から把握できる請求項以外の技術的思想について、それらの効果とともに以下に追記する。
【００１３】
（１）前記目印を、溝としたことを特徴とする手動利器。
従って、この（１）に記載の発明によれば、凹部に沿って把手を刃物等で切断するときに、溝に刃物をあてがうことができるので、正確に、素早く切断することができる。
【００１４】
（２）前記目印を、周囲と異なる色で表示したことを特徴とする手動利器。
従って、この（２）に記載の発明によれば、凹部に沿って把手を刃物等で切断するときに、切断位置が視覚的に分かりやすくなる。
【００１５】
（３）前記抜止は凸部よりなり、前記目印は凸部の位置を示す手動利器。
従って、この（３）に記載の発明によれば、請求項１の発明の場合と同様の効果が得られる。
【００１６】
【発明の効果】
以上、詳述したように本発明は、以上のように構成されているため、分別廃棄する場合に金属製の機能部と合成樹脂製の把手との分離作業を容易に行うことができる。
【図面の簡単な説明】
【図１】  鋏の全体の正面図
【図２】  凹部を示す図１の要部拡大断面図
【図３】  凹部を切断後の図１の要部拡大断面図
【図４】  凹部と溝との位置関係を示す要部拡大図
【図５】  同じく斜視図
【図６】  凹部の位置を異なる色で示す例の要部拡大図
【図７】  変形例を示す要部断面図
【図８】  同じく正面図
【図９】  さらに別の変形例を示す要部断面図
【図１０】  同じく側面図
【符号の説明】
１…手動利器としての鋏、８…切込み位置を示す目印、１０，１５，２４…金属製の機能部、１１，１６，２３…合成樹脂製の把手、１２，１７…凹部、６，１３，１８…溝
【図１】
0004814433.tif 000002
【図２】
0004814433.tif 000003
【図３】
0004814433.tif 000004
【図４】
0004814433.tif 000005
【図５】
0004814433.tif 000006
【図６】
0004814433.tif 000007
【図７】
0004814433.tif 000008
【図８】
0004814433.tif 000009
【図９】
0004814433.tif 000010
【図１０】
0004814433.tif 000011